(57)【特許請求の範囲】
【請求項１】
隣接するチャネル干渉を制限するために構成されるフェムトセル基地局であって、
モバイル局に対してダウンリンク信号を送信するように構成される、送信機と；
前記フェムトセル基地局によって送信される前記ダウンリンク信号の帯域幅を制限する、送信パルス整形フィルタと；
前記送信パルス整形フィルタよりも大きい程度で、前記のフェムトセル局によって送信される前記ダウンリンク信号の前記帯域幅を制限する、より狭い送信パルス整形フィルタと；
プロセッサと；
前記プロセッサと電子通信しているメモリと；
前記メモリにおいて保存される命令と、なお、前記命令は、前記送信パルス整形フィルタと前記より狭い送信パルス整形フィルタとの間で前記フェムトセル基地局に切り替えさせることが前記プロセッサによって実行可能である；
を備えるフェムトセル基地局。
【請求項２】
前記命令は、隣接するチャネルが使用されているということを決定することに応じて、前記送信パルス整形フィルタから前記より狭い送信パルス整形フィルタへと前記フェムトセル基地局に切り替えさせることが前記プロセッサによって実行可能である、請求項１に記載のフェムトセル基地局。
【請求項３】
前記命令は、第１のモバイル局に対する前記フェムトセル基地局のダウンリンク伝送は隣接するチャネル上で動作する第２のモバイル局に対するマクロセル基地局からのダウンリンク伝送を妨げるということを検出することに応じて、前記送信パルス整形フィルタから前記より狭い送信パルス整形フィルタへと前記フェムトセル基地局に切り替えさせることが前記プロセッサによって実行可能である、請求項１に記載のフェムトセル基地局。
【請求項４】
前記より狭い送信パルス整形フィルタの前記帯域幅は、生じている干渉の量によって決まる、請求項２に記載のフェムトセル基地局。
【請求項５】
前記命令は、前記フェムトセル基地局がいずれのモバイル局に対してサービスを現在提供していないということを決定することに応じて、前記送信パルス整形フィルタから前記より狭い送信パルス整形フィルタへと前記フェムトセル基地局に切り替えさせることが前記プロセッサによって実行可能である、請求項１に記載のフェムトセル基地局。
【請求項６】
前記命令は、データレート条件が満たされているということを決定することに応じて、前記より狭い送信パルス整形フィルタから前記送信パルス整形フィルタへと前記フェムトセル基地局に切り替えさせることが前記プロセッサによって実行可能である、請求項１に記載のフェムトセル基地局。
【請求項７】
前記命令は、前記モバイル局がレガシモバイル局であるということを検出することに応じて、前記送信パルス整形フィルタまたは前記より狭い送信パルス整形フィルタを使用するかどうかを前記フェムトセル基地局に決定させることが前記プロセッサによって実行可能である、請求項１に記載のフェムトセル基地局。
【請求項８】
前記命令は、前記送信パルス整形フィルタまたは前記より狭い送信パルス整形フィルタが前記フェムトセル基地局において使用されているかどうかに基づいて、どの受信パルス整形フィルタを使用するかについて前記モバイル局に対して少なくとも１つのコマンドを前記フェムトセル基地局に提供させることが前記プロセッサによって実行可能である、請求項１に記載のフェムトセル基地局。
【請求項９】
前記モバイル局からアップリンク信号を受信するための受信機と；
前記モバイル局の第２の送信パルス整形フィルタに整合する、前記フェムトセル基地局の受信パルス整形フィルタと；
前記モバイル局の第２のより狭い送信パルス整形フィルタに整合する、前記フェムトセル基地局のより狭い受信パルス整形フィルタと；
をさらに備え、ここにおいて、前記命令はまた、前記受信パルス整形フィルタと前記より狭い受信パルス整形フィルタとの間で前記フェムトセル基地局に切り替えさせることが前記プロセッサによって実行可能である、請求項１に記載のフェムトセル基地局。
【請求項１０】
前記命令は、前記モバイル局から受信される少なくとも１つのコマンドに基づいて、前記受信パルス整形フィルタと前記より狭い受信パルス整形フィルタとの間で前記フェムトセル基地局に切り替えさせることが前記プロセッサによって実行可能である、請求項９に記載のフェムトセル基地局。
【請求項１１】
前記命令は、前記モバイル局のアップリンク伝送は隣接するチャネル上で動作している別のモバイル局のアップリンク伝送を妨げるということを検出することに応じて、より狭い送信パルス整形フィルタに切り替わるように前記モバイル局に対して少なくとも１つのコマンドを前記フェムトセル基地局に提供させることが前記プロセッサによって実行可能である、請求項１に記載のフェムトセル基地局。
【請求項１２】
前記命令は、満たされるデータレート条件に応じて、前記より狭い送信パルス整形フィルタから前記送信パルス整形フィルタへと切り替わるように前記モバイル局に対して少なくとも１つのコマンドを前記フェムトセル基地局に提供させることが前記プロセッサによって実行可能である、請求項１に記載のフェムトセル基地局。
【請求項１３】
隣接するチャネル干渉を制限するための方法であって、前記方法はフェムトセル基地局によってインプリメントされており、前記方法は、
モバイル局に対してダウンリンク信号を送信することと、
送信パルス整形フィルタとより狭い送信パルス整形フィルタとの間で切り替わることと、
を備え、前記送信パルス整形フィルタは、前記フェムトセル基地局によって送信される前記ダウンリンク信号の帯域幅を制限し、そして、前記より狭い送信パルス整形フィルタは、前記送信パルス整形フィルタよりも大きい程度で、前記のフェムトセル局によって送信される前記ダウンリンクの信号の前記帯域幅を制限する、方法。
【請求項１４】
前記切り替わることは、隣接するチャネルが使用されているということを決定することに応じて、前記送信パルス整形フィルタから前記より狭い送信パルス整形フィルタへと切り替わることを備える、請求項１３に記載の方法。
【請求項１５】
前記切り替わることは、第１のモバイル局に対する前記フェムトセル基地局のダウンリンク伝送は隣接するチャネル上で動作する第２のモバイル局に対するマクロセル基地局からのダウンリンク伝送を妨げるということを検出することに応じて、前記送信パルス整形フィルタから前記より狭い送信パルス整形フィルタへと切り替わることを備える、請求項１３に記載の方法。
【請求項１６】
前記より狭い送信パルス整形フィルタの前記帯域幅は、生じている干渉の量によって決まる、請求項１４に記載の方法。
【請求項１７】
前記切り替わることは、前記フェムトセル基地局はいずれのモバイル局に対してサービスを現在提供していないということを決定することに応じて、前記送信パルス整形フィルタから前記より狭い送信パルス整形フィルタへと切り替わることを備える、請求項１３に記載の方法。
【請求項１８】
前記切り替わることは、データレート条件が満たされているということを決定することに応じて、前記より狭い送信パルス整形フィルタから前記送信パルス整形フィルタへと切り替わることを備える、請求項１３に記載の方法。
【請求項１９】
前記モバイル局がレガシモバイル局であるということを検出することに応じて、前記送信パルス整形フィルタまたは前記より狭い送信パルス整形フィルタを使用するかどうかを決定すること、をさらに備える請求項１３に記載の方法。
【請求項２０】
前記送信パルス整形フィルタまたは前記より狭い送信パルス整形フィルタは前記フェムトセル基地局において使用されているかどうかに基づいて、どの受信パルス整形フィルタを使用するかについて前記モバイル局に対して少なくとも１つのコマンドを提供すること、をさらに備える請求項１３に記載の方法。
【請求項２１】
前記モバイル局からアップリンク信号を受信することと、
前記フェムトセル基地局の受信パルス整形フィルタと前記フェムトセル基地局のより狭い受信パルス整形フィルタとの間で切り替わることと、
をさらに備え、ここにおいて、前記受信パルス整形フィルタは、前記モバイル局の第２の送信パルス整形フィルタに整合し、ここにおいて、前記より狭い受信パルス整形フィルタは、前記モバイル局の第２のより狭い送信パルス整形フィルタに整合する、請求項１３に記載の方法。
【請求項２２】
前記切り替わることは、前記モバイル局から受信されるコマンドに基づいて、前記受信パルス整形フィルタと前記より狭い受信パルス整形フィルタとの間で切り替わることを備える、請求項２１に記載の方法。
【請求項２３】
前記モバイル局のアップリンク伝送が隣接するチャネル上の別のモバイル局のアップリンク伝送を妨げるということを検出することに応じて、より狭い送信パルス整形フィルタに切り替わるように前記モバイル局に対して少なくとも１つのコマンドを提供すること、をさらに備える請求項１３に記載の方法。
【請求項２４】
データレート条件が満たされているということに応じて、前記より狭い送信パルス整形フィルタから前記送信パルス整形フィルタへと切り替わるように前記モバイル局に対して少なくとも１つのコマンドを提供すること、をさらに備える請求項１３に記載の方法。
【請求項２５】
隣接するチャネル干渉を制限するために構成されるフェムトセル基地局であって、
モバイル局に対してダウンリンク信号を送信するための手段と、
送信パルス整形フィルタとより狭い送信パルス整形フィルタとの間で切り替わるための手段と、
を備え、前記送信パルス整形フィルタは、前記フェムトセル基地局によって送信される前記ダウンリンク信号の帯域幅を制限し、そして、前記より狭い送信パルス整形フィルタは、前記送信パルス整形フィルタよりも大きい程度で、前記のフェムトセル局によって送信される前記ダウンリンクの信号の前記帯域幅を制限する、フェムトセル基地局。
【請求項２６】
前記切り替わるための手段は、隣接するチャネルが使用されているということを決定することに応じて、前記送信パルス整形フィルタから前記より狭い送信パルス整形フィルタへと切り替わるための手段を備える、請求項２５に記載のフェムトセル基地局。
【請求項２７】
前記より狭い送信パルス整形フィルタの前記帯域幅は、生じている干渉の量によって決まる、請求項２６に記載のフェムトセル基地局。
【請求項２８】
前記切り替わるための手段は、前記フェムトセル基地局はいずれのモバイル局に対してサービスを現在提供していないということを決定することに応じて、前記送信パルス整形フィルタから前記より狭い送信パルス整形フィルタへと切り替わるための手段を備える、請求項２５に記載のフェムトセル基地局。
【請求項２９】
前記切り替わるための手段は、データレート条件が満たされているということを決定することに応じて、前記より狭い送信パルス整形フィルタから前記送信パルス整形フィルタへと切り替わるための手段を備える、請求項２５に記載のフェムトセル基地局。
【請求項３０】
前記モバイル局がレガシモバイル局であるということを検出することに応じて、前記送信パルス整形フィルタまたは前記より狭い送信パルス整形フィルタを使用するかどうかを決定するための手段と、をさらに備える請求項２５に記載のフェムトセル基地局。
【請求項３１】
前記送信パルス整形フィルタまたは前記より狭い送信パルス整形フィルタは前記フェムトセル基地局において使用されているかどうかに基づいて、どの受信パルス整形フィルタを使用するかについて前記モバイル局に対して少なくとも１つのコマンドを提供するための手段、をさらに備える請求項２５に記載のフェムトセル基地局。
【請求項３２】
前記モバイル局からアップリンク信号を受信するための手段と、
前記フェムトセル基地局の受信パルス整形フィルタと前記フェムトセル基地局のより狭い受信パルス整形フィルタとの間で切り替えるための手段と、
をさらに備え、ここにおいて、前記受信パルス整形フィルタは、前記モバイル局の第２の送信パルス整形フィルタに整合し、ここにおいて、前記より狭い受信パルス整形フィルタは、前記モバイル局の第２のより狭い送信パルス整形フィルタに整合する、請求項２５に記載のフェムトセル基地局。
【請求項３３】
前記切り替わるための手段は、前記モバイル局から受信される少なくとも１つのコマンドに基づいて、前記受信パルス整形フィルタと前記より狭い受信パルス整形フィルタとの間で切り替わるための手段を備える、請求項３２に記載のフェムトセル基地局。
【請求項３４】
隣接するチャネル干渉を制限するように構成されるフェムトセル基地局のためのコンピュータ可読記録媒体であって、前記コンピュータ可読記録媒体は、命令を有しているコンピュータ可読媒体を備えており、前記命令は、
モバイル局に対してダウンリンク信号を送信するためのコードと、
送信パルス整形フィルタとより狭い送信パルス整形フィルタとの間で切り替わるためのコードと、
を備え、前記送信パルス整形フィルタは、前記のフェムトセル局によって送信される前記ダウンリンク信号の帯域幅を制限し、そして、前記より狭い送信パルス整形フィルタは、前記送信パルス整形フィルタよりも大きい程度で、前記フェムトセル基地局によって送信される前記ダウンリンクの信号の前記帯域幅を制限する、コンピュータ可読記録媒体。
【請求項３５】
前記切り替わるためのコードは、
隣接するチャネルが使用されているということを決定することに応じて、前記送信パルス整形フィルタから前記より狭い送信パルス整形フィルタへと切り替わるためのコードと、
前記フェムトセル基地局はいずれのモバイル局に対してサービスを現在提供していないということを決定することに応じて、前記送信パルス整形フィルタから前記より狭い送信パルス整形フィルタへと切り替わるためのコードと、
データレート条件が満たされているということを決定することに応じて、前記より狭い送信パルス整形フィルタから前記送信パルス整形フィルタへと切り替わるためのコードと、
第１のモバイルに対するフェムトセルのダウンリンク伝送が隣接するチャネル上で動作する第２のモバイルに対するマクロセルからのダウンリンク伝送を妨げるということを決定することに応じて、前記送信パルス整形フィルタから前記より狭い送信パルス整形フィルタへと切り替わるためのコードと、
前記モバイル局がレガシモバイル局であるということを検出することに応じて、前記送信パルス整形フィルタまたは前記より狭い送信パルス整形フィルタを使用するかどうかを決定するためのコードと、
のうちの少なくとも１つを備える、請求項３４に記載のコンピュータ可読記録媒体。
【請求項３６】
前記モバイル局からアップリンク信号を受信するためのコードと、
受信パルス整形フィルタとより狭い受信パルス整形フィルタとの間で切り替わるためのコードと、
をさらに備え、前記受信パルス整形フィルタは、前記モバイル局において前記送信パルス整形フィルタに整合し、前記より狭い受信パルス整形フィルタは、前記モバイル局において前記より狭い送信パルス整形フィルタに整合する、請求項３４に記載のコンピュータ可読記録媒体。
【請求項３７】
隣接するチャネル干渉を制限するために構成されるモバイル局であって、
フェムトセル基地局に対してアップリンク信号を送信するように構成される送信機と；  送信パルス整形フィルタと；
より狭い送信パルス整形フィルタと、なお、前記より狭い送信パルス整形フィルタは、前記送信パルス整形フィルタよりも大きい程度で、前記モバイル局によって送信されるアップリンク信号の帯域幅を制限する；
プロセッサと；
前記プロセッサと電子通信しているメモリと；
前記メモリにおいて保存される命令と、なお、前記命令は、前記フェムトセル基地局から受信されるコマンドに基づいて、前記送信パルス整形フィルタと前記より狭い送信パルス整形フィルタとの間で前記モバイル局に切り替えさせることが前記プロセッサによって実行可能である；
を備えるモバイル局。
【請求項３８】
隣接するチャネル干渉を制限するために構成されるモバイル局であって、
フェムトセル基地局に対してアップリンク信号を送信するように構成される送信機と；
送信パルス整形フィルタと；
より狭い送信パルス整形フィルタと、なお、前記より狭い送信パルス整形フィルタは、前記送信パルス整形フィルタよりも大きい程度で、前記モバイル局によって送信されるアップリンク信号の帯域幅を制限する；
プロセッサと；
前記プロセッサと電子通信しているメモリと；
前記メモリにおいて保存される命令と、なお、前記命令は、データレート条件が満たされているということを決定することに応じて、前記より狭い送信パルス整形フィルタから前記送信パルス整形フィルタへと前記モバイル局に切り替えさせることが前記プロセッサによって実行可能である；
備えるモバイル局。
【請求項３９】
前記命令はまた、前記データレート条件が満たされているということを決定することに応じて、前記より狭い送信パルス整形フィルタから前記送信パルス整形フィルタへと切り替わるように前記フェムトセル基地局から許可を前記モバイル局にリクエストさせることが前記プロセッサによって実行可能である、請求項３８に記載のモバイル局。
【発明の詳細な説明】
【関連出願】
【０００１】
本願は、２００８年８月２０日に出願された「ネットワーク内の複数アクセスポイント基地局と複数モバイル局のための適応できる送信（Ｔｘ）/受信（Ｒｘ）パルス整形フィルタ(Adaptive Transmission (Tx)/Reception (Rx) Pulse Shaping Filter For Access Point Base Stations And Mobile Stations Within A Network)」の米国特許出願番号第６１／０９０，５６９号に関連しており優先権を主張する、そしてそれは、参照によってここにおいて組み込まれている。
【分野】
【０００２】
本開示は、一般的に通信システム(communication systems)に関連する。より具体的には、本開示は、ネットワーク内のフェムトセル基地局及びモバイル局用の適応できる送信(Ｔｘ)/受信(Ｒｘ)パルス整形フィルタ(pulse shaping filter)に関する。
【背景】
【０００３】
ワイヤレス通信システムは、世界の多くの人々が通信するようになった重要な手段となっている。ワイヤレス通信システムは、多数のモバイル局のための通信を提供することができ、それらの各々は基地局によってサービス提供されることができる。
【０００４】
ここにおいて使用されるように、用語「モバイル局(mobile station)」は、ワイヤレス通信システム上の音声及び/またはデータ通信のために使用されることができる電子デバイスを指す。モバイル局の例は、セルラ電話、携帯情報端末(ＰＤＡ)、ワイヤレスモデム、ラップトップコンピュータなどを含む。モバイル局は、代替的に、アクセス端末、モバイル端末、加入者局、遠隔局、ユーザ端末、端末、加入者ユニット、モバイルデバイス、ワイヤレスデバイス、ユーザ機器、または他のある用語で呼ばれてもよい。
【０００５】
「基地局(base station)」は、固定されたロケーションでインストールされるワイヤレス通信局を指しており、モバイル局と通信するために使用される。基地局は、代替的に、アクセスポイント、ノードＢ、発展型ノードＢ、あるいはいくつかの他の同様な用語で呼ばれてもよい。
【０００６】
モバイル局は、アップリンク及びダウンリンク上の伝送(transmissions)を介して、１以上の基地局と通信することができる。アップリンク（あるいは逆方向リンク）は、モバイル局から基地局までの通信リンクを指し、ダウンリンク（あるいは順方向リンク）は基地局からモバイル局までの通信リンクを指す。
【０００７】
フェムトセル基地局は、小さいセルラ基地局であり、一般的には、家庭または小規模企業環境において使用するために設計されている。それは、ブロードバンド（例えばＤＳＬまたはケーブル）を介して、サービスプロバイダのネットワークに接続する。フェムトセル基地局は、サービスプロバイダが、サービスのサービスエリアの屋内、特にアクセスが制限されているまたは利用不可能であったであろう場所に拡張することを可能にする。フェムトセル基地局は、代替的に、アクセスポイント基地局、ホームノードＢ（ＨＮＢ）、ホーム発展型ノードＢ（ＨｅＮＢ）、フェムトノード等と呼ばれてもよい。
【０００８】
フェムトセル基地局のサービスエリアは、ここにおいてフェムトセルと呼ばれてもよい。典型的な基地局のサービスエリアはここにおいてはマクロセルと呼ばれてもよく、典型的な基地局は、ここにおいてマクロセル基地局と呼ばれてもよい。
【０００９】
隣接するチャネル干渉(adjacent channel interference)は、隣接するチャネルにおける信号からの外部パワー(extraneous power)によって引き起こされる干渉である。隣接するチャネル干渉は２つのモバイル局間で生じてもよく、モバイル局のうちの一方は、フェムトセル基地局からサービスを受信し、他方のモバイル局はマクロセル基地局からサービスを受信し、２つのモバイル局は隣接するキャリアにおいて動作する。本開示は、隣接するチャネル干渉を減らすことに関連しており、特に、干渉するチャネル(interfering channel)は、フェムトセル基地局とマクロセル基地局を含む。
【図面の簡単な説明】
【００１０】
【図１】図１は、多数のユーザをサポートするように構成されるワイヤレス通信システムを図示する。
【図２】図２は、フェムトセル基地局とマクロセル基地局を含むワイヤレス通信システムを図示する。
【図３】図３は、隣接するチャネル干渉が生じうる、第１のモバイル局と第２のモバイル局とを含むワイヤレス通信システムを図示する。
【図４】図４は、ワイヤレス通信システムにおける送信機と受信機を図示する。
【図５】図５は、隣接するチャネル干渉を制限するために構成されるワイヤレス通信システムを図示する。
【図６】図６は、隣接するチャネル干渉を制限するために構成される別のワイヤレス通信システムを図示する。
【図７】図７は、隣接するチャネル干渉を制限するための方法を図示する。
【図７Ａ】図７Ａは、図７の方法に対応するミーンズプラスファンクションブロックを図示する。
【図８】図８は、隣接するチャネル干渉を制限するために構成される別のワイヤレス通信システムを図示する。
【図９】図９は、隣接するチャネル干渉を制限するための別の方法を図示する。
【図９Ａ】図９Ａは、図９の方法に対応するミーンズプラスファンクションブロックを図示する。
【図１０】図１０は、隣接するチャネル干渉を制限するための別の方法を図示する。
【図１０Ａ】図１０Ａは、図１０の方法に対応するミーンズプラスファンクションブロックを図示する。
【図１１】図１１は、隣接するチャネル干渉を制限するための別の方法を図示する。
【図１１Ａ】図１１Ａは、図１１の方法に対応するミーンズプラスファンクションブロックを図示する。
【図１２】図１２は、隣接するチャネル干渉を制限するための別の方法を図示する。
【図１２Ａ】図１２Ａは、図１２の方法に対応するミーンズプラスファンクションブロックを図示する。
【図１３】図１３は、隣接するチャネル干渉を制限するために構成される別のワイヤレス通信システムを図示する。
【図１４】図１４は、ワイヤレスデバイス内に含まれることができるあるコンポーネントを図示する。
【詳細な説明】
【００１１】
隣接するチャネル干渉を制限するように構成されるフェムトセル基地局が開示される。フェムトセル基地局は、モバイル局に対してダウンリンク信号を送信するように構成される送信機を含む。フェムトセル基地局はまた、フェムトセル基地局によって送信されるダウンリンクの帯域幅を制限する送信パルス整形フィルタ(transmit pulse-shaping filter)を含む。フェムトセル基地局はまた、送信パルス整形フィルタよりも大きい程度で、フェムトセル基地局によって送信されるダウンリンクの信号の帯域幅を制限するより狭い送信パルス整形フィルタ(narrower transmit pulse-shaping filter)を含む。フェムトセル基地局はまたプロセッサを含む。フェムトセル基地局はまた、プロセッサと電子通信しているメモリを含む。フェムトセル基地局は、メモリにおいて保存された命令をさらに含む。命令は、送信パルス整形フィルタとより狭い送信パルス整形フィルタとの間でフェムトセル基地局に切り替えさせることがプロセッサによって実行可能である。
【００１２】
命令は、隣接するチャネルが使用されているということを決定することに応じて、送信パルス整形フィルタからより狭い送信パルス整形フィルタへとフェムトセル基地局に切り替えさせることがプロセッサによって実行可能である。より狭い送信パルス整形フィルタの帯域幅は、生じている干渉の量によって決まることができる。命令はまた、いずれのモバイル局に対してフェムトセル基地局がサービスを現在提供していないということを決定することに応じて、送信パルス整形フィルタからより狭い送信パルス整形フィルタへとフェムトセル基地局に切り替えさせることがプロセッサによって実行可能である。命令はまた、データレート条件が満たされているということを決定することに応じて、より狭い送信パルス整形フィルタから送信パルス整形フィルタへとフェムトセル基地局に切り替えさせることがプロセッサによって実行可能である。
【００１３】
命令はまた、モバイル局がレガシモバイル局であるということを検出することに応じて、送信パルス整形フィルタまたはより狭い送信パルス整形フィルタを使用するかどうかをフェムトセル基地局に決定させることがプロセッサによって実行可能である。命令はまた、送信パルス整形フィルタまたはより狭い送信パルス整形フィルタはフェムトセル基地局において使用されているかどうかに基づいて、どの受信パルス整形フィルタ(receive pulse-shaping filter)を使用するかについてモバイル局に対して少なくとも１つのコマンドをフェムトセル基地局に提供させることがプロセッサによって実行可能である。
【００１４】
フェムトセル基地局はまた、モバイル局からアップリンク信号を受信するための受信機を含む。フェムトセル基地局はまた、モバイル局で送信パルス整形フィルタに整合する受信パルス整形フィルタを含む。フェムトセル基地局はさらに、モバイル局でより狭い送信パルス整形フィルタに整合する、より狭い受信パルス整形フィルタ(narrower receive pulse-shaping filter)を含む。命令はまた、受信パルス整形フィルタとより狭い受信パルス整形フィルタとの間でフェムトセル基地局に切り替えさせることがプロセッサによって実行可能である。
【００１５】
命令はまた、モバイル局から受信される少なくとも１つのコマンドに基づいて、受信パルス整形フィルタとより狭い受信パルス整形フィルタとの間でフェムトセル基地局に切り替えさせることがプロセッサによって実行可能である。命令はまた、モバイル局のアップリンク伝送(uplink transmissions)が別のモバイル局のアップリンク伝送を妨げるということを検出することに応じて、より狭い送信パルス整形フィルタに切り替わるためにモバイル局に対して少なくとも１つのコマンドをフェムトセル基地局に提供させることがプロセッサによって実行可能である。命令は、データレート条件が満たされるのに応じて、より狭い送信パルス整形フィルタから送信パルス整形フィルタへと切り替わるためにモバイル局に対して少なくとも１つのコマンドをフェムトセル基地局に提供させることがプロセッサによってさらに実行可能である。
【００１６】
隣接するチャネル干渉を制限するための方法が開示される。方法は、フェムトセル基地局によってインプリメントされる。方法は、モバイル局に対してダウンリンク信号を送信することを含む。方法はまた、送信パルス整形フィルタとより狭い送信パルス整形フィルタとの間で切り替わることを含む。送信パルス整形フィルタはフェムトセル基地局によって送信されるダウンリンク信号の帯域幅を制限し、そして、より狭い送信パルス整形フィルタは、送信パルス整形フィルタよりも大きい程度で、フェムトセル局によって送信されるダウンリンクの信号の帯域幅を制限する。
【００１７】
隣接するチャネル干渉を制限するために構成されるフェムトセル基地局が開示される。フェムトセル基地局は、モバイル局に対してダウンリンク信号を送信するための手段を含む。フェムトセル基地局はまた、送信パルス整形フィルタとより狭い送信パルス整形フィルタとの間で切り替わるための手段を含む。送信パルス整形フィルタは、フェムトセル基地局によって送信されるダウンリンク信号の帯域幅を制限する。より狭い送信パルス整形フィルタはまた、送信パルス整形フィルタよりも大きい程度で、フェムトセル局によって送信されるダウンリンクの信号の帯域幅を制限する。
【００１８】
隣接するチャネル干渉を制限するように構成されるフェムトセル基地局のためのコンピュータプログラムプロダクトが開示される。コンピュータプログラムプロダクトは、命令を有するコンピュータ可読媒体を含む。命令は、モバイル局に対してダウンリンク信号を送信するためのコードを含む。命令はまた、送信パルス整形フィルタとより狭い送信パルス整形フィルタとの間で切り替わるためのコードを含む。送信パルス整形フィルタは、フェムトセル基地局によって送信されるダウンリンク信号の帯域幅を制限する。より狭い送信パルス整形フィルタは、送信パルス整形フィルタよりも大きい程度で、フェムトセル局によって送信されるダウンリンクの信号の帯域幅を制限する。
【００１９】
隣接するチャネル干渉を制限するために構成されるモバイル局が開示される。モバイル局は、フェムトセル基地局に対してアップリンク信号を送信するように構成される送信機を含む。モバイル局はまた、送信パルス整形フィルタを含む。モバイル局はまた、より狭い送信パルス整形フィルタを含む。より狭い送信パルス整形フィルタは、送信パルス整形フィルタよりも大きい程度で、モバイル局によって送信されるアップリンク信号の帯域幅を制限する。モバイル局はまた、プロセッサと、そのプロセッサと電子通信しているメモリを含む。モバイル局は、メモリにおいて保存された命令をさらに含む。命令は、フェムトセル基地局から受信されるコマンドに基づいて、送信パルス整形フィルタとより狭い送信パルス整形フィルタとの間でモバイル局に切り替えさせることがプロセッサによって実行可能である。
【００２０】
隣接するチャネル干渉を制限するために構成されるモバイル局が開示される。モバイル局は、フェムトセル基地局に対してアップリンク信号を送信するように構成される送信機を含む。モバイル局はまた、送信パルス整形フィルタを含む。モバイル局はまた、より狭い送信パルス整形フィルタを含む。より狭い送信パルス整形フィルタは、送信パルス整形フィルタよりも大きい程度で、モバイル局によって送信されるアップリンク信号の帯域幅を制限する。モバイル局はまたプロセッサを含む。モバイル局はまた、プロセッサと電子通信しているメモリを含む。モバイル局はまた、メモリにおいて保存された命令をさらに含む。命令は、データレート条件が満たされているということを決定することに応じて、より狭い送信パルス整形フィルタから送信パルス整形フィルタへとモバイル局に切り替えさせることがプロセッサによって実行可能である。
【００２１】
命令はまた、データレート条件が満たされているということを決定することに応じて、より狭い送信パルス整形フィルタから送信パルス整形フィルタへと切り替わるようにフェムトセル基地局からの許可をモバイル局にリクエストさせることがプロセッサによって実行可能である。
【００２２】
図１は、多数のユーザをサポートするように構成されるワイヤレス通信システム１００を図示する。システム１００は、マルチプルマクロセル１０２（例、マクロセル１０２ａ−ｃ）のための通信を提供しており、各マクロセル１０２は、対応するマクロセル基地局（ＢＳ）１０４（例、マクロセルＢＳ１０４ａ−ｃ）によってサービス提供されている。モバイル局１０６（例えばモバイル局１０６ａ−ｎ）は、時間と共に、システム１００全体にわたって様々なロケーションで分散されてもよい。各モバイル局（ＭＳ）１０６は、与えられた瞬間において、アップリンク及び／またはダウンリンク上で１以上のマクロセル基地局１０４と通信することができ、そしてそれは、例えばＭＳ１０６がアクティブであるかどうか、また、それがソフトハンドオフ状態にあるかどうかによって決まる。ワイヤレス通信システム１００は、大きい地理的領域上でサービスを提供することができる。
【００２３】
図２は、フェムトセルＢＳ２１０とマクロセルＢＳ２０４を含むワイヤレス通信システム２００を図示する。フェムトセルＢＳ２１０のサービスエリアはフェムトセル２０８とここにおいて呼ばれてもよく、マクロセルＢＳ２０４のサービスエリアはマクロセル２０２とここにおいて呼ばれてもよい。マクロセル２０２は、フェムトセル２０８よりも相当に大きくてもよい。例えば、マクロセル２０２の半径は大体数キロメートルであり、フェムトセル２０８は、家庭または小規模な建物をカバーすることができる。フェムトセル２０８は、マクロセル２０２内に位置している、小さい、隔離されたサービス領域エリアと考えられることができる。
【００２４】
フェムトセルＢＳ２１０は、ＤＳＬルータ、ケーブルモデム、ワイヤレスリンク、または他の接続手段を介して、広域ネットワーク２１８（例、インターネット）とモバイルオペレータコアネットワーク２１６に結合されることができる。マクロセルＢＳ２０４はまた、コアネットワーク２１６に結合されることができる。
【００２５】
ＭＳ２０６は、フェムトセルＢＳ２１０からサービスを受信することができ、それはまた、マクロセルＢＳ２０４からサービスを受信することができる。例えば、ＭＳ２０６がフェムトセル２０８内に配置されるとき、フェムトセルＢＳ２１０はＭＳ２０６に対してサービスを提供することができる。ＭＳ２０６はフェムトセル２０８の外で移動しているがマクロセル２０２内に位置しているときには、マクロセルＢＳ２０４は、ＭＳ２０６に対してサービスを提供することができる。この文脈において、用語「サービス（service）」はアクティブな呼び出し状態を指しており、また、ボイス呼び出し及び／またはデータ呼び出しであってもよい。
【００２６】
図３は、第１のＭＳ３０６ａと第２のＭＳ３０６ｂとがマクロセル３０２内に位置されている、フェムトセル３０８内に位置されているワイヤレス通信システム３００を図示する。第１のＭＳ３０６ａは、フェムトセルＢＳ３１０からサービスを受信する。第１のＭＳ３０６ａは、アップリンク３１２ａを介してフェムトセルＢＳ３１０にデータを送信し、ダウンリンク３１４ａを介してフェムトセルＢＳ３１０からデータを受信する。しかしながら、たとえ第２のＭＳ３０６ｂがフェムトセル３０８内に位置されていても、第２のＭＳ３０６ｂは、マクロセルＢＳ３０４からサービスを受信する。例えば、フェムトセルＢＳ３１０は個人のホーム内に位置されてもよく、第２のＭＳ３０６ｂは、個人のホームにアクセスしている(visiting)が、フェムトセルＢＳ３１０からサービスを受信することを認可されていないある人（someone）に属していてもよい。第２のＭＳ３０６ｂは、アップリンク３１２ｂを介してマクロセルＢＳ３０４にデータを送信し、ダウンリンク３１４ｂを介してマクロセルＢＳ３０４からデータを受信する。
【００２７】
第２のＭＳ３０６ｂは、フェムトセルＢＳ３１０に、相対的に近く配置されてもよい。結果、アップリンク３１２ｂ上の第２のＭＳ３０６ｂからマクロセルＢＳ３０４への伝送は、フェムトセルＢＳ３１０において受信されることができ、したがって、アップリンク３１２ａ上の第１のＭＳ３０６ａからフェムトセルＢＳ３１０への伝送を妨げる。同様に、アップリンク３１２ａ上の第１のＭＳ３０６ａからフェムトセルＢＳ３１０への伝送は、マクロセルＢＳ３０４において受信されることができ、アップリンク３１２ｂ上の第２のＭＳ３０６ｂからマクロセルＢＳ３１２ｂへの伝送を妨げる。隣接するキャリアがアップリンク３１２ａ上のチャネルとアップリンク３１２ｂ上のチャネルのために使用される場合には、この干渉は、隣接するアップリンクチャネル干渉と呼ばれることができる。
【００２８】
同様に、ダウンリンク３１４ａ上のフェムトセルＢＳ３１０から第１のＭＳ３０６ａへの伝送は第２のＭＳ３０６ｂで受信されることができ、したがって、ダウンリンク３１４ｂ上のマクロセルＢＳ３０４から第２のＭＳ３０６ｂへの伝送を妨げる。隣接するキャリアがダウンリンク３１４ａ上のチャネルとダウンリンク３１４ｂ上のチャネルのために使用される場合には、この干渉は、隣接するダウンリンクチャネル干渉(adjacent downlink channel interference)と呼ばれることができる。
【００２９】
図３では、第２のＭＳ３０６ｂはフェムトセル３０８内に位置されているにもかかわらず、隣接するアップリンクチャネル干渉と隣接するダウンリンクチャネル干渉は、たとえ第２のＭＳ３０６ｂがフェムトセル３０８の外に位置されるとしても、生じうる。ここにおいて開示される方法は、第２のＭＳ３０６ｂがフェムトセル３０８の中または外に位置されるかどうかについて利用されることができる。
【００３０】
図４は、ワイヤレス通信システム４００における送信機４２０と受信機４２２を図示する。送信機４２０と受信機４２２は、フェムトセルＢＳ３１０、マクロセルＢＳ３０４、ＭＳ３０６などの内でインプリメントされることができる。
【００３１】
送信機４２０は、デジタルデータ４２１を受理し、それを変調された無線周波数（ＲＦ）信号４２３に変換し、そして、信号４２３を受信機４２２に対して送信する。受信機４２２は、ＲＦ信号４２３を受信し、そしてそれを、データ４２１の再生(reproduction)であるデータ４２１’を出力するために、変調する。
【００３２】
送信機４２０に対して提供されるデジタルデータ４２１は、ある変調フォーマットにしたがって、シンボルを表す変調されたサンプルのシーケンスを生成するために、変調器４２４によって変調されることができる。変調されたサンプルは、フィルタにかけられたサンプルのシーケンスを生成するために、送信機（Ｔｘ）パルス整形フィルタ４２６によってフィルタにかけられることができる。Ｔｘパルス整形フィルタ４２６はデジタルフィルタであり、そしてそれは、有限インパルスレスポンス(finite impulse response)（ＦＩＲ）フィルタとしてインプリメントされることができる。
【００３３】
Ｔｘフロントエンド４２８は、Ｔｘパルス整形フィルタ４２６の出力を処理することができる。Ｔｘフロントエンド４２８は、補間(interpolation)、プリディストーション(predistortion)、及び/または、他のフィルタリングオペレーションのような機能を実行することができる。フィルタにかけられたサンプルは、デジタル・ツー・アナログコンバータ（ＤＡＣ）４３０に対して提供されることができ、そしてそれは、その入力のときに、変調されフィルタにかけられたサンプルシーケンスを表すアナログ信号を生成する。アナログ信号は、そのあとで、アップコンバータ（ＵＣ）４３２によって適切な無線周波数にアップコンバートされ、パワーアンプ（ＰＡ）４３４によって増幅されることができる。その後、ＲＦ信号４２３は、送信アンテナ４３６を介して送信されることができる。
【００３４】
受信アンテナ４３８は送信された信号４２３を受信し、それをダウンコンバータ４４０に提供し、そしてそれは、ＲＦから適切な中間周波数（ＩＦ）またはベースバンドアナログ信号へと信号４２３をダウンコンバートする。アナログ信号は、アナログ・ツー・デジタルコンバータ（ＡＤＣ）４４２によってデジタル化されることができ、そしてそれは、デジタル化されたサンプルのシーケンスを生成する。デジタル化されるサンプルは受信機（Ｒｘ）フロントエンド４４４によって処理されることができ、そしてそれは、デシメーション(decimation)、自動利得制御（ＡＧＣ）及び／または、他の適応フィルタリングオペレーションのような機能を実行することができる。サンプルは、そのあとで、Ｒｘパルス整形フィルタ４４６によってフィルタにかけられることができる。Ｒｘパルス整形フィルタ４４６はデジタルフィルタであり、そしてそれは、ＦＩＲフィルタとしてインプリメントされることができる。Ｒｘパルス整形フィルタ４４６の出力におけるサンプルは、復調器４４８によって復調されることができ、そしてそれは、理想的には送信機４２０に対して提供されるデータ４２１の再生であるデータ４２１’を出力する。
【００３５】
標準Ｔｘパルス整形フィルタ４２６及びＲｘパルス整形フィルタ４４６のスペクトルレスポンスは、通信システム４００の性能に関して重大な影響を有することができる。例えば、Ｔｘパルス整形フィルタ４２６は、送信される信号４２３のスペクトル帯域幅を制限し、しばしば、隣接するチャネル干渉のレベルと送信機４２０によって生成される他のスプリアス放射(spurious emissions)とを決定する。送信機４２０が特定の通信基準に合わせるとき、送信される信号４２３の帯域幅は、しばしばスペクトルマスクを使用して、一般的には標準で規定されおり、そしてそれは、超過されるべきではない。
【００３６】
Ｔｘパルス整形フィルタ４２６とＲｘパルス整形フィルタ４４６は、互いに整合されるべきである。例えば、Ｔｘパルス整形フィルタ４２６とＲｘパルス整形フィルタ４４６は、それらがそれぞれ、平方根二乗余弦(root raised cosine)(ＲＲＣ)レスポンスを有するように、そして、それらの組み合わせられたスペクトルレスポンスは、二乗余弦(raised cosine)(ＲＣ)スペクトルレスポンスであるように、インプリメントされることができる。勿論、ＲＲＣは、一例として提供されており、Ｔｘパルス整形フィルタ４２６とＲｘパルス整形フィルタ４４６は、それらがそれぞれＲＲＣレスポンスを有するようにインプリメントされる必要はない。しかしながら、それらは信号対雑音比（ＳＮＲ）を最大限にするために、Ｒｘパルス整形フィルタ４４６がＴｘパルス整形フィルタ４２６に整合されるように、同じレスポンスを有するべきである。
【００３７】
図５は、隣接するチャネル干渉を制限するために構成されるワイヤレス通信システム５００を図示する。システム５００は、フェムトセルＢＳ５１０とマクロセルＢＳ５０４を含む。フェムトセルＢＳ５１０のサービスエリアはフェムトセル５０８とここにおいて呼ばれてもよく、マクロセルＢＳ５０４のサービスエリアはマクロセル５０２とここにおいて呼ばれてもよい。フェムトセル５０８は、マクロセル５０２内に配置される。
【００３８】
フェムトセルＢＳ５１０は、標準Ｔｘパルス整形フィルタ５２６ａ、標準Ｒｘパルス整形フィルタ５４６ａ、より狭いＴｘパルス整形フィルタ５５０ａ、より狭いＲｘパルス整形フィルタ５５２ａ、及び切り替えモジュール５５４ａを含む。ＭＳ５０６は、標準Ｔｘパルス整形フィルタ５２６ｂ、標準Ｒｘパルス整形フィルタ５４６ｂ、より狭いＴｘパルス整形フィルタ５５０ｂ、より狭いＲｘパルス整形フィルタ５５２ｂ、及び切り替えモジュール５５４ｂを含む。マクロセルＭＳ５０４は、標準Ｔｘパルス整形フィルタ５２６ｃと標準Ｒｘパルス整形フィルタ５４６ｃを含む。
【００３９】
フェムトセルＢＳ５１０は少なくとも２つの異なる構成で動作することができる。第１の構成では、フェムトセルＢＳ５１０は、より狭いＴｘパルス整形フィルタ５５０ａとより狭いＲｘパルス整形フィルタ５５２ａを利用する。第２の構成では、フェムトセルＢＳ５１０は、標準Ｔｘパルス整形フィルタ５２６ａと標準Ｒｘパルス整形フィルタ５４６ａを利用する。
【００４０】
フェムトセルＢＳ５１０はまた、２以上の異なる構成で動作することができる。例えば、フェムトセルＢＳ５１０は、それがより狭いＴｘパルス整形フィルタ５５０ａと標準Ｒｘパルス整形フィルタ５４６ａを使用する構成で動作することができる。また、フェムトセルＢＳ５１０は、それが標準Ｔｘパルス整形フィルタ５２６ａとより狭いＲｘパルス整形フィルタ５５２ａを使用する構成で動作することができる。切り替えモジュール５５４ａは、フェムトセルＢＳ５１０の様々な可能な構成の間で切り替わるように構成されている。
【００４１】
同様に、ＭＳ５０６は少なくとも２つの異なる構成で動作することができる。第１の構成では、ＭＳ５０６は、より狭いＴｘパルス整形フィルタ５５０ｂとより狭いＲｘパルス整形フィルタ５５２ｂを利用する。第２の構成では、ＭＳ５０６は、標準Ｔｘパルス整形フィルタ５２６ｂと標準Ｒｘパルス整形フィルタ５４６ｂを利用する。ＭＳ５０６は、それがより狭いＴｘパルス整形フィルタ５５０ｂと標準Ｒｘパルス整形フィルタ５４６ｂを使用する構成で動作することができる。また、ＭＳ５０６０は、それが標準Ｔｘパルス整形フィルタ５２６ｂとより狭いＲｘパルス整形フィルタ５５２ｂを使用する構成で動作することができる。切り替えモジュール５５４ｂは、ＭＳ５０６の様々な可能な構成の間で切り替わるように構成されている。
【００４２】
ここにおいて使用されるように、用語「標準（standard）」と「より狭い（narrower）」は相対語である。より狭いＴｘパルス整形フィルタ（例、フェムトセルＢＳ５１０によって使用されるより狭いＴｘパルス整形フィルタ５５０ａまたはＭＳ５０６によって使用されるより狭いＴｘパルス整形フィルタ５５０ｂ）は、標準Ｔｘパルス整形フィルタ（例、フェムトセルＢＳ５１０によって使用される標準Ｔｘパルス整形フィルタ５２６ａまたはＭＳ５０６によって使用される標準Ｔｘパルス整形フィルタ５２６ｂ）よりも大きい程度で、送信される信号のスペクトル帯域幅を制限する。例えば、１つの可能なインプリメンテーションにおいては、より狭いＴｘパルス整形フィルタの３ｄＢ帯域幅は、標準Ｔｘパルス整形フィルタの３ｄＢ帯域幅の９０％である。しかしながら、この値は例のためだけに提供されており、本開示の範囲を制限するように使用されるべきではない。
【００４３】
ＭＳ５０６における標準Ｒｘパルス整形フィルタ５４６ｂは、フェムトセルＢＳ５１０における標準Ｔｘパルス整形フィルタ５２６ａと、マクロセルＢＳ５０４における標準Ｔｘパルス整形フィルタ５２６ｃと、に整合される。ＭＳ５０６におけるより狭いＲｘパルス整形フィルタ５５２ｂは、フェムトセルＢＳ５１０におけるより狭いＴｘパルス整形フィルタ５５０ａに整合される。フェムトセルＢＳ５１０における標準Ｒｘパルス整形フィルタ５４６ａは、ＭＳ５０６における標準Ｔｘパルス整形フィルタ５２６ｂに整合される。フェムトセルＢＳ５１０におけるより狭いＲｘパルス整形フィルタ５５２ａは、ＭＳ５０６におけるより狭いＴｘパルス整形フィルタ５５０ｂに整合される。マクロセルＢＳ５０４における標準Ｒｘパルス整形フィルタ５４６ｃは、ＭＳ５０６における標準Ｔｘパルス整形フィルタ５２６ｂに整合される。
【００４４】
ＭＳ５０６がフェムトセル５０８内に配置されるとき、ＭＳ５０６は、フェムトセルＢＳ５１０からサービスを受信することができる。ＭＳ５０６はまた、ＭＳ５０６がフェムトセル５０８外に位置されるがマクロセル５０２内にはあるときには、マクロセルＢＳ５０４からサービスを受信することができる。図５では、ＭＳ５０６は、フェムトセル５０８外に位置されるがマクロセル５０２内にはあると図示されている。したがって、ＭＳ５０６は、マクロセルＢＳ５０４からサービスを受信する。ＭＳ５０６からマクロセルＢＳ５０４への伝送はアップリンク５１２を介して生じ、マクロセルＢＳ５０４からＭＳ５０６への伝送はダウンリンク５１４を介して生じる。ＭＳ５０６がマクロセルＢＳ５０４からサービスを受信するとき、ＭＳ５０６は、標準Ｔｘパルス整形フィルタ５２６ｂと標準Ｒｘパルス整形フィルタ５４６ｂを利用する。
【００４５】
フェムトセル５０８においてＭＳはないので、フェムトセルＢＳ５１０は、いずれのＭＳに対してもサービスを提供しない。切り替えモジュール５５４ａは、このシチュエーションにおいては（フェムトセルＢＳ５１０がいずれのＭＳに対してもサービスを提供していない）、フェムトセルＢＳ５１０はより狭いＴｘパルス整形フィルタ５５０ａとより狭いＲｘパルス整形フィルタ５５２ａを利用する。たとえフェムトセルＢＳ５１０がいずれのＭＳに対してもサービスを提供していなくても、フェムトセルＢＳ５１０は、パイロットチャネルとオーバーヘッドチャネルを送信する。より狭いＴｘパルス整形フィルタ５５０ａを使用することは、パイロットチャネルとオーバーヘッドチャネルの伝送によって引き起こされる隣接するチャネルの干渉の量を減らす（例、パイロット及びオーバーヘッドチャネルが、マクロセルＢＳ５０４からＭＳ５０６までのダウリンク５１４上の伝送を妨げる程度）。フェムトセルＢＳ５１０は、それがいずれのＭＳに対してもサービスを現在提供していないということを決定するときに、標準Ｔｘパルス整形フィルタ５２６ａと標準Ｒｘパルス整形フィルタ５４６ａとを現在使用している場合、そのときには、切り替えモジュール５５４ａは、より狭いＴｘパルス整形フィルタ５５０ａとより狭いＲｘパルス整形フィルタ５５２ａに切り替わるように構成される。
【００４６】
あるいは、フェムトセルＢＳ５１０がより狭いＴｘパルス整形フィルタ５５０ａと標準Ｒｘパルス整形フィルタ５４６ａを利用するように、逆もまた然りであるように、切り替えモジュール５５４ａは構成されることができる。
【００４７】
図６は、隣接するチャネル干渉を制限するために構成される別のワイヤレス通信システム６００を図示する。ＭＳ６０６ａは、フェムトセル６０８内に配置される。ＭＳ６０６は、フェムトセルＢＳ６１０からサービスを受信する。ＭＳ６０６からフェムトセルＢＳ６１０への伝送はアップリンク６１２を介して生じ、フェムトセル６１０からＭＳ６０６への伝送はダウンリンク６１４を介して生じる。
【００４８】
フェムトセルＢＳ６１０における切り替えモジュール６５４ａは、環境の下で最も適切であろういずれのＴｘパルス整形フィルタに基づいて、より狭いＴｘパルス整形フィルタ６５０ａと標準Ｔｘパルス整形フィルタ６２６ａとの間で切り替わるように構成される。下記で例が提供される。フェムトセルＢＳ６１０における通信モジュール６５５ａは、標準Ｔｘパルス整形フィルタ６２６ａまたはより狭いＴｘパルス整形フィルタ６５０ａがフェムトセル基地局６１０において使用されているかどうかに基づいて、どのＲｘパルス整形フィルタを使用するかについて（例、標準Ｒｘパルス整形フィルタ６４６ｂまたはより狭いＲｘパルス整形フィルタ６５２ｂを使用するかどうか）、ＭＳ６０６に対してコマンドを提供するように構成される。ＭＳ６０６における切り替えモジュール６５４ｂは、フェムトセルＢＳ６１０から受信されるコマンドに基づいて、適切なＲｘパルス整形フィルタに切り替わるように構成される。
【００４９】
同様な方法で、ＭＳ６０６における切り替えモジュール６５４ｂは、環境の下で最も適切であろういずれのＴｘパルス整形フィルタに基づいて、より狭いＴｘパルス整形フィルタ６５０ｂと標準Ｔｘパルス整形フィルタ６２６ｂとの間で切り替わるように構成される。ＭＳ６０６における通信モジュール６５５ｂは、標準Ｔｘパルス整形フィルタ６２６ｂまたはより狭いＴｘパルス整形フィルタ６５０ｂがＭＳ６０６において使用されているかどうかに基づいて、どのＲｘパルス整形フィルタを使用するかについて（例、標準Ｒｘパルス整形フィルタ６４６ａまたはより狭いＲｘパルス整形フィルタ６５２ａを使用するかどうか）、フェムトセルＢＳ６１０に対してコマンドを提供するように構成される。代替的に、フェムトセルＢＳ６１０は、どのＴｘパルス整形フィルタをアップリンク６１２上で使用するかについてＭＳ６０６に対してコマンドを提供することができる。
【００５０】
図７は、隣接するチャネル干渉を制限するための方法７００を図示する。フェムトセルＢＳ６１０がダウンリンク６１４上で伝送を送信するためにより狭いＴｘパルス整形フィルタ６５０ａを使用すること７０２、そして、ＭＳ６０６は、ダウンリンク６１４上の伝送を受信するためにより狭いＲｘパルス整形フィルタ６５２ｂを使用すること７０４を仮定する。
【００５１】
ある時点で、フェムトセルＢＳ６１０及び／またはＭＳ６０６は、ＭＳ６０６によるデータレートに関連する条件が満たされているということを決定する。例えば、ＭＳ６０６が大きなファイルをダウンロードしている最中であると仮定する。フェムトセルＢＳ６１０及び／またはＭＳ６０６は、ダウンロードのデータレートは、広域ネットワーク２１８を介してフェムトセルＢＳ６１０とコアネットワーク２１６との間の接続によって制限されていないということを決定することができる（例、ＤＳＬまたはケーブル上のバックホールは制限ではない）。
【００５２】
この決定７０６を行うことに応じて、フェムトセルＢＳ６１０は、より狭いＴｘパルス整形フィルタ６５０ａを使用することから、標準Ｔｘパルス整形フィルタ６２６ｂを使用することへと切り替わることができる７０８。標準Ｔｘパルス整形フィルタ６２６ａを使用することは、ダウンリンク６１４上のより高いデータレートを容易にすることができる。フェムトセルＢＳ６１０はまた、より狭いＲｘパルス整形フィルタ６５２ｂを使用することから、標準Ｒｘパルス整形フィルタ６４６ｂを使用することへと切り替わるために、ＭＳ６０６に対してコマンドを提供することができる７１０。それに応じて、ＭＳ６０６は、より狭いＲｘパルス整形フィルタ６５２ｂを使用することから、標準Ｒｘパルス整形フィルタ６４６ｂを使用することへと切り替わることができる７１２。フェムトセルＢＳ６１０はダウンリンク６１４上での伝送を送信するために標準Ｔｘパルス整形フィルタ６２６ａを使用することができ、ＭＳ６０６は、ダウンリンク６１４上の伝送を受信するために標準Ｒｘパルス整形フィルタ６４６ｂを使用することができる７１６。
【００５３】
上記で説明される図７の方法７００は、図７Ａで図示されるミーンズプラスファンクションブロック７００Ａに対応する様々なハードウェア及び／またはソフトウェアのコンポーネント（単数又は複数）及び／モジュール（単数又は複数）によって実行されることができる。言いかえれば、図７で図示されるブロック７０２〜７１６は、図７Ａで図示されるミーンズプラスファンクションブロック７０２Ａ〜７１６Ａに対応している。
【００５４】
図８は、隣接するチャネル干渉を制限するために構成される別のワイヤレス通信システム８００を図示する。第１のＭＳ８０６ａは、フェムトセル８０８の内に配置される。第１のＭＳ８０６ａは、フェムトセルＢＳ８１０からサービスを受信する。第１のＭＳ８０６ａからフェムトセルＢＳ８１０への伝送はアップリンク８１２ａを介して生じ、フェムトセル８１０から第１のＭＳ８０６ａへの伝送はダウンリンク８１４ａを介して生じる。
【００５５】
第２のＭＳ３０６ｂは、マクロセルＢＳ８０４からサービスを受信する。第２のＭＳ８０６からマクロセルＢＳ８０４への伝送はアップリンク８１２ｂを介して生じ、マクロセルＢＳ８０４から第２のＭＳ８０６ｂへの伝送はダウンリンク８１４ｂを介して生じる。
【００５６】
図９は、隣接するチャネル干渉を制限するための別の方法９００を図示する。フェムトセルＢＳ８１０はダウンリンク８１４ａ上で伝送を送信するために標準Ｔｘパルス整形フィルタ８２６ａを使用すること９０２、そして、第１のＭＳ８０６は、ダウンリンク８１４ａ上の伝送を受信するために標準Ｒｘパルス整形フィルタ８４６ｂを使用すること９０４を仮定する。ある時点で、フェムトセルＢＳ８１０は、隣接するセルが使用されているということ、すなわち、フェムトセルＢＳ８１０から第１のＭＳ８０６ａまでのダウンリンク８１４ａ上で使用されているチャネルのうちの１つは、マクロセルＢＳ８０４から第２のＭＳ８０６ｂまでのダウンリンク８１４ｂ上で使用されているチャネルのうちの１つに隣接している。したがって、ダウンリンク８１４ａ上のフェムトセルＢＳ８１０から第１のＭＳ８０６ａへの伝送は第２のＭＳ８０６ｂで受信されることができ、ダウンリンク８１４ｂ上のマクロセルＢＳ８０４から第２のＭＳ８０６ｂへの伝送を妨げる。
【００５７】
この決定９０６を行うことに応じて、フェムトセルＢＳ８１０における切り替えモジュール８５４ａは、標準Ｔｘパルス整形フィルタ８２６ａを使用することからより狭いＴｘパルス整形フィルタ８５０ａを使用することへと切り替わることができる９０８。フェムトセルＢＳ８１０はまた、標準Ｒｘパルス整形フィルタ８４６ｂを使用することから、より狭いＲｘパルス整形フィルタ８５２ｂを使用することへと切り替わるために、第１のＭＳ８０６ａに対してコマンドを提供することができる９１０。それに応じて、第１のＭＳ８０６ａにおける切り替えモジュール８５４ｂは、標準Ｒｘパルス整形フィルタ８４６ｂを使用することから、より狭いＲｘパルス整形フィルタ８５２ｂを使用することへと切り替わることができる９１２。フェムトセルＢＳ８１０はダウンリンク８１４ａ上で伝送を送るためにより狭いＴｘパルス整形フィルタ８５０ａを使用することができ９１４、第１のＭＳ８０６ａは、ダウンリンク８１４ａ上の伝送を受信するためにより狭いＲｘパルス整形フィルタ８５２ｂを使用することができる９１６。
【００５８】
上記で説明される図９の方法９００は、図９Ａで図示されるミーンズプラスファンクションブロック９００Ａに対応する様々なハードウェア及び／またはソフトウェアのコンポーネント（単数又は複数）及び／モジュール（単数又は複数）によって実行されることができる。言いかえれば、図９で図示されるブロック９０２〜９１６は、図９Ａで図示されるミーンズプラスファンクションブロック９０２Ａ〜９１６Ａに対応している。
【００５９】
フェムトセルＢＳ８１０におけるより狭いＴｘパルス整形フィルタ８５０ａの帯域幅は、潜在的な干渉するチャネルがどのくらい近くにあるかによって、異なる。例えば、次の２つのシナリオを検討する。第１のシナリオでは、フェムトセルＢＳ８１０から第１のＭＳ８０６ａまでのダウンリンク８１４ａ上で使用されているチャネルのうちの１つは、マクロセルＢＳ８０４から第２のＭＳ８０６ｂまでのダウンリンク８１４ｂ上で使用されているチャネルのうちの１つに隣接している。第２のシナリオでは、ダウンリンク８１４ａ上で使用されているチャネルのうちの１つは、ダウンリンク８１４ｂ上で使用されているチャネルのうちの１つに近いが隣接していない（例えば、それは２チャネルまたは３チャネル離れている）。いくつかのインプリメンテーションでは、より狭いＴｘパルス整形フィルタ８５０ａの帯域幅は、第２のシナリオにおいてよりも、第１のシナリオにおいてより狭くされる。したがって、より狭いＴｘパルス整形フィルタ８５０ａの帯域幅は、適応性があってもよい。
【００６０】
図１０は、隣接するチャネル干渉を制限するための別の方法１０００を図示する。フェムトセルＢＳ８１０がＴｘパルス整形フィルタ８２６ａを使用することからより狭いＴｘパルス整形フィルタ８５０ａを使用することへと切り替わるとき１００２、フェムトセルＢＳ８１０は、隣接する（またはほぼ隣接している）ダウンリンクチャネルで（例、マクロセルＢＳ８０４から第２の８０６ｂまでのダウンリンク８１４ｂ上で使用されているチャネルのうちの１つまたは複数）生じている干渉の量を決定することができる１００４。フェムトセルＢＳ８１０は、より狭いＴｘパルス整形フィルタ８５０ｂの帯域幅を、生じている干渉の量に基づいて、調節することができる１００６。著しい量の干渉がある場合には、より狭いＴｘパルス整形フィルタ８５０ａは、著しい量の干渉がない場合よりも、より狭くされる。
【００６１】
フェムトセルＢＳ８１０上のより狭いＴｘパルス整形フィルタ８５０ａの帯域幅が、潜在的な干渉するチャネルがどのくらい近くにあるかによって、どのように異なるかについて説明されてきた。第１のＭＳ８０６ａ上のより狭いＴｘパルス整形フィルタ８５０ｂは類似する方法で異なる。
【００６２】
上記で説明される図１０の方法１０００は、図１０Ａで図示されるミーンズプラスファンクションブロック１０００Ａに対応する様々なハードウェア及び／またはソフトウェアのコンポーネント（単数又は複数）及び／モジュール（単数又は複数）によって実行されることができる。言いかえれば、図１０で図示されるブロック１００２〜１００６は、図１０Ａで図示されるミーンズプラスファンクションブロック１００２Ａ〜１００６Ａに対応している。
【００６３】
図１１は、隣接するチャネル干渉を制限するための別の方法１１００を図示する。方法１１００は、フェムトセルＢＳ８１０が、アップリンク８１２ａ上の第１のＭＳ８０６ａの伝送がアップリンク８１２ｂ上の第２のＭＳ８０６ａの伝送を妨げているということを決定するときから始まる。この決定を行うことに応じて、フェムトセルＢＳ８１０は、より狭いＴｘパルス整形フィルタ８５０ｂに切り替わるために第１のＭＳ８０６ａに対してコマンドを提供することができる１１０４。フェムトセルＢＳ８１０からこれらのコマンドを受信することに応じて、第１のＭＳ８０６ａは、より狭いＴｘパルス整形フィルタ８５０ｂに切り替わることができる１１０６。フェムトセルＢＳ８１０は、より狭いＲｘパルス整形フィルタ８５２ａに切り替わることができる１１０８。第１のＭＳ８０６ａは、アップリンク８１２ａ上の伝送を送信するためにより狭いＴｘパルス整形フィルタ８５０ａを使用することができ１１１０、フェムトセルＢＳ８１０は、アップリンク８１２ａ上の伝送を受信するためにより狭いＲｘパルス整形フィルタ８５２ａを使用することができる１１１２。
【００６４】
上記で説明される図１１の方法１１００は、図１１Ａで図示されるミーンズプラスファンクションブロック１１００Ａに対応する様々なハードウェア及び／またはソフトウェアのコンポーネント（単数又は複数）及び／モジュール（単数又は複数）によって実行されることができる。言いかえれば、図１１で図示されるブロック１１０２〜１１１２は、図１１Ａで図示されるミーンズプラスファンクションブロック１１０２Ａ〜１１１２Ａに対応している。
【００６５】
図１２は、隣接するチャネル干渉を制限するための別の方法１２００を図示する。方法１２００は、ＭＳ８０６ａが、アップリンク８１２ａ上の伝送を送信するためにより狭いＴｘパルス整形フィルタ８５０ｂを使用する１２０２ときから始まり、そして、フェムトセルＢＳ８１０は、アップリンク８１２ａ上の伝送を受信するためにより狭いＲｘパルス整形フィルタ８５２ａを使用する１２０４。
【００６６】
ある時点で、ＭＳ８０６ａ及び／またはフェムトセルＢＳ８１０は、ＭＳ８０６ａによるデータレート需要に関連する条件が満たされているということを決定することができる１２０６。例えば、アップリンク８１２ａ上で送信されるべき多くのデータがある、例えば、ＭＳ８０６ａは大きなファイルをアップロードしている最中である、と仮定する。ＭＳ８０６ａ及び／またはフェムトセルＢＳ８１０は、アップロードのデータレートは、広域ネットワーク２１８を介してフェムトセルＢＳ８１０とコアネットワーク２１６との間の接続によって制限されていないということを決定することができる。
【００６７】
この決定１２０６を行うことに応じて、ＭＳ８０６ａは、標準Ｔｘパルス整形フィルタ８２６ｂに切り替わるために、フェムトセルＢＳ８１０から許可をリクエストすることができる１２０８。フェムトセルＢＳ８１０は、ＭＳ８０６ａが標準Ｔｘパルス整形フィルタ８２６ｂに切り替わることが許容されるかどうか（例、ＭＳ８０６ａに標準Ｔｘパルス整形フィルタ８２６ｂを使用させることが、システム８００において多すぎる干渉を引き起こすかどうか）を決定することができる。そうである場合には、フェムトセルＢＳ８１０は、標準Ｔｘパルス整形フィルタ８２６ｂに切り替わるために、ＭＳ８０６ａに対してコマンドを提供することができる１２１０。フェムトセルＢＳ８１０からこれらのコマンドを受信することに応じて、ＭＳ８０６ａは、標準Ｔｘパルス整形フィルタ８２６ｂに切り替わることができる１２１２。あるいは、ＭＳ８０６ａは、フェムトセルＢＳ８１０からの許可を最初にリクエストすることなく、標準Ｔｘパルス整形フィルタ８２６ｂに切り替わることができる１２１２。
【００６８】
ＭＳ８０６ａが標準Ｔｘパルス整形フィルタ８２６ｂに切り替わるとき１２１２、フェムトセルＢＳ８１０は、標準Ｒｘパルス整形フィルタ８４６ａに切り替わることができる１２１４。ＭＳ８０６ａは、アップリンク８１２ａ上の伝送を送信するために標準Ｔｘパルス整形フィルタ８２６ｂを使用することができ、フェムトセルＢＳ８１０は、アップリンク８１２上の伝送を受信するために標準Ｒｘパルス整形フィルタ８４６ａを使用することができる１２１８。
【００６９】
上記で説明される図１２の方法１２００は、図１２Ａで図示されるミーンズプラスファンクションブロック１２００Ａに対応する様々なハードウェア及び／またはソフトウェアのコンポーネント（単数又は複数）及び／モジュール（単数又は複数）によって実行されることができる。言いかえれば、図１２で図示されるブロック１２０２〜１２１８は、図１２Ａで図示されるミーンズプラスファンクションブロック１２０２Ａ〜１２１８Ａに対応している。
【００７０】
図１３は、隣接するチャネル干渉を制限するために構成される別のワイヤレス通信システム１３００を図示する。フェムトセルＢＳ１３１０は、レガシＭＳ１３０６に対してサービスを提供する。レガシＭＳ１３０６は、標準Ｔｘパルス整形フィルタ１３２６と標準Ｒｘパルス整形フィルタ１３４６を含む。しかしながら、レガシＭＳ１３０６は、より狭いＴｘパルス整形フィルタ、または、より狭いＲｘパルス整形フィルタ、のいずれも含まない。フェムトセルＢＳ１３１０は、ＭＳ１３０６がレガシＭＳ１３０６であるということ、すなわち、ＭＳ１３０６はより狭いＴｘパルス整形フィルタまたはより狭いＲｘパルス整形フィルタのいずれも含まないということ、を検出する。これに応じて、フェムトセルＢＳ１３１０は、ダウンリンク１３１４上の伝送を送信するために標準Ｔｘパルス整形フィルタ１３２６ａを使用することができる。また、フェムトセルＢＳ１３１０は、アップリンク１３１２上の伝送を受信するために標準Ｒｘパルス整形フィルタ１３４６ａを使用する。フェムトセルＢＳ１３１０は、それがＭＳ１３０６はレガシ１３０６であるということを検出するとき、より狭いＴｘパルス整形フィルタ１３５０ａとより狭いＲｘパルス整形フィルタ１３５２ａを使用している場合、フェムトセルＢＳ１３１０における切り替えモジュール１３５４は、標準Ｔｘパルス整形フィルタ１３２６ａと標準Ｒｘパルス整形フィルタ１３４６ａに切り替わることができる。
【００７１】
あるいは、フェムトセルＢＳ１３１０は、ある環境の下では、より狭いＴｘパルス整形フィルタ１３５０ａを使用することを選択することができる（例、隣接するチャネル干渉の量を重視(significant concern)している場合）。たとえフィルタがこのシチュエーションで整合されないとしても、レガシＭＳ１３０６は、フェムトセルＢＳ１３１０からダウンリンク１３１４伝送を受信することができるべきである。
【００７２】
図１４は、ワイヤレスデバイス内１４０１に含まれうるあるコンポーネントを図示する。ワイヤレスデバイス１４０１は、モバイル局または基地局であってもよい。
【００７３】
ワイヤレスデバイス１４０１はプロセッサ１４０３を含む。プロセッサ１４０３は、汎用のシングルチップまたはマルチチップのマイクロプロセッサ（例、ＡＲＭ）、専用マイクロプロセッサ（例、デジタルシグナルプロセッサ（ＤＳＰ））、マイクロコントローラ、プログラマブルゲートアレイ等であってもよい。プロセッサ１４０３は、中央処理装置（ＣＰＵ）と呼ばれてもよい。単一のプロセッサ１４０３だけが図１４のワイヤレスデバイス１４０１で示されているが、複数プロセッサの組み合わせ（例、ＡＲＭ及びＤＳＰ）も使用されることができる。
【００７４】
ワイヤレスデバイス１４０１はまた、メモリ１４０５を含む。メモリ１４０５は、電子情報を保存することができるいずれの電子コンポーネントであってもよい。メモリ１４０５は、ランダムアクセスメモリ（ＲＡＭ）、読み出し専用メモリ（ＲＯＭ）、磁気ディスクストレージ媒体、光学ストレージ媒体、ＲＡＭにおけるフラッシュメモリデバイス、プロセッサと含まれるオンボードメモリ、ＥＰＲＯＭメモリ、ＥＥＰＲＯＭメモリ、レジスタ等（それらの組み合わせを含む）として具現化されることができる。
【００７５】
データ１４０７及び命令１４０９は、メモリ１４０５において保存されることができる。命令１４０９は、ここにおいて開示される方法をインプリメントするように、プロセッサ１４０３によって実行可能であることができる。命令１４０９を実行することは、メモリ１４０５に保存されるデータ１４０７の使用を含むことができる。あるデータの量１４０７ａ及び命令１４０９ａは、プロセッサ１４０３へとロードされることができる。
【００７６】
ワイヤレスデバイス１４０１はまた、ワイヤレスデバイス１４０１と遠隔ロケーションとの間の信号の送信及び受信を可能にするために、送信機１４１１と受信機１４１３を含むことができる。送信機１４１１と受信機１４１３は、トランシーバ１４１５と集約的に呼ばれることができる。
【００７７】
アンテナ１４１７は、トランシーバ１４１５に電子的に結合されることができる。ワイヤレスデバイス１４０１はまた、マルチプル送信機、マルチプル受信機、マルチプルトランシーバ、及び／またはマルチプルアンテナを含むことができる（図示されず）。
【００７８】
ワイヤレスデバイス１４０１の様々なコンポーネントは、１以上のバスによって一緒に結合されることができ、そしてそれは、パワーバス、制御シグナルバス、ステータスシグナルバス、データバス等を含むことができる。明瞭にするために、様々なバスは、バスシステム１４１９として図１４で図示される。
【００７９】
用語「プロセッサ（processor）」は、汎用プロセッサ、中央処理装置（ＣＰＵ）、マイクロプロセッサ、デジタルシグナルプロセッサ（ＤＳＰ）、コントローラ、マイクロコントローラ、ステートマシンなどを包含するように広く解釈されるべきである。いくつかの環境の下では、「プロセッサ（processor）」は特定用途向け集積回路（ＡＳＩＣ）、プログラマブル論理回路（ＰＬＤ）、フィールドプログラマブルゲートアレイ（ＦＰＧＡ）等を指すことができる。用語「プロセッサ（processor）」は、処理デバイスの組み合わせ、例えばＤＳＰとマイクロプロセッサの組み合わせ、複数のマイクロプロセッサ、ＤＳＰコアと併せて１以上のマイクロプロセッサ、またはいずれの他のそのような構成、を指すことができる。
【００８０】
用語「メモリ（memory）」は、電子情報を保存することができるいずれの電子コンポーネントも含むように広く解釈されるべきである。用語メモリは、ランダムアクセスメモリ（ＲＡＭ）、読み出し専用メモリ（ＲＯＭ）、不揮発性ランダムアクセスメモリ（ＮＶＲＡＭ）、プログラマブル読取専用メモリ（ＰＲＯＭ）、消去可能プログラマブル読取専用メモリ（ＥＰＲＯＭ）、電気的消去可能ＰＲＯＭ（ＥＥＰＲＯＭ）、フラッシュメモリ、磁気または光学のデータストレージ、レジスタなどのような様々なタイプのプロセッサ可読媒体を指すことができる。プロセッサがメモリから情報を読み取ることができる及び/またはメモリに情報を書き込むことができる場合には、メモリは、プロセッサと電子通信していると言われる。プロセッサに一体化しているメモリは、プロセッサと電子通信している。
【００８１】
用語「命令(instructions)」と「コード(code)」は、いずれのタイプのコンピュータ可読ステートメント(単数または複数)を含むように広く解釈されるべきである。例えば、用語「命令(instructions)」と「コード(code)」は、１以上のプログラム、ルーチン、サブルーチン、機能、プロシージャなどを指すことができる。「命令(instructions)」と「コード(code)」は、単一のコンピュータ可読ステートメントまたは多くのコンピュータ可読ステートメントを備えることができる。
【００８２】
ここにおいて記載された機能は、ハードウェア、ソフトウェア、ファームウェアあるいはそれらのいずれかの組み合わせにおいてインプリメントされることができる。ソフトウェアでインプリメントされる場合には、機能は、コンピュータ可読媒体上で、１つまたは複数の命令として、記憶されることができる。用語「コンピュータ可読媒体(computer-readable medium)」は、コンピュータによってアクセスされることができるいずれの利用可能な媒体を指す。例であって、限定されないが、コンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータストラクチャの形態において望まれるプログラムコードを保存あるいは搬送するために使用されることができる、また、コンピュータによってアクセスされることができる、任意の他の媒体も備えることができる。ここにおいて使用されているように、ディスク(disk)とディスク(disc)は、コンパクトディスク(compact disc)(ＣＤ)、レーザーディスク(登録商標)(laser disc)、光学ディスク(optical disc)、デジタル汎用ディスク(digital versatile disc)（ＤＶＤ）、フロッピー(登録商標)ディスク(disk)及びブルーレイディスク(blu-ray disc)を含んでおり、「ディスク(disks)」は、大抵、データを磁気で再生しているが、「ディスク(discs)」は、レーザーで光学的に再生する。
【００８３】
ソフトウェアまたは命令はまた、送信媒体上で送信されることができる。例えば、ソフトウェアがウェブサイト、サーバ、あるいは、同軸ケーブル、光ファイバーケーブル、ツイストペア(twisted pair)、デジタル加入者ライン(digital subscriber line)(ＤＳＬ)、あるいは赤外線、無線、及びマイクロ波のような無線技術を使用している他の遠隔ソース、から送信される場合には、そのときには、同軸ケーブル、光ファイバーケーブル、ツイストペア、ＤＳＬ、あるいは赤外線、無線、及びマイクロ波のような無線技術は、送信媒体(medium)の定義に含まれている。
【００８４】
ここにおいて開示される方法は、記載される方法を達成するための１以上のステップまたは動作を備える。方法のステップ及び/または動作は、特許請求の範囲から逸脱することなく互いに置き換えられることができる(may be interchanged)。言いかえれば、ステップまたは動作の具体的な順序は、記載されている方法の適切な動作に必要とされない限り、具体的なステップ及び／または動作の順序及び／または使用は、特許請求の範囲から逸脱することなく修正されることができる。
【００８５】
さらに、ここにおいて記載される方法及び技術を実行するためのモジュール及び／または他の適切な手段、例えば図７、９、及び１０で図示されているようなものは、ダウンロードされることができる、及び／または、そうでなければ、デバイスによって得られることができる、ということは理解されるべきである。例えば、デバイスは、ここにおいて記載される方法を実行するための手段の移送(transfer)を容易にするためにサーバに結合されることができる。代替的には、ここにおいて記載される様々な方法は、ストレージ手段（例、ランダムアクセスメモリ（ＲＡＭ）読み出し専用メモリ（ＲＯＭ）、コンパクトディスク（ＣＤ）またはフロッピーディスクのような物理ストレージ媒体等）を介して提供されることができるので、デバイスは、デバイスにストレージ手段を結合するまたは提供する際に、様々な方法を得ることができる。さらに、デバイスに対しここにおいて記載される方法及び技術を提供するためのいずれの他の適切な技術が利用されることができる。
【００８６】
請求項は、上記で図示される正確な構成及びコンポーネントに限定されていないということは理解されるべきである。様々な修正、変更、及び変形は、特許請求の範囲から逸脱することなく、ここにおいて記載されるシステム、方法、及び装置の、配置(arrangement)、オペレーション、及び細部においてなされることができる。
以下に本件出願当初の特許請求の範囲を付記する。
［Ｃ１］
隣接するチャネル干渉を制限するために構成されるフェムトセル基地局であって、
モバイル局に対してダウンリンク信号を送信するように構成される、送信機と；
前記フェムトセル基地局によって送信される前記ダウンリンク信号の帯域幅を制限する、送信パルス整形フィルタと；
前記送信パルス整形フィルタよりも大きい程度で、前記のフェムトセル局によって送信される前記ダウンリンク信号の前記帯域幅を制限する、より狭い送信パルス整形フィルタと；
プロセッサと；
前記プロセッサと電子通信しているメモリと；
前記メモリにおいて保存される命令と、なお、前記命令は、前記送信パルス整形フィルタと前記より狭い送信パルス整形フィルタとの間で前記フェムトセル基地局に切り替えさせることが前記プロセッサによって実行可能である；
を備えるフェムトセル基地局。
［Ｃ２］
前記命令は、隣接するチャネルが使用されているということを決定することに応じて、前記送信パルス整形フィルタから前記より狭い送信パルス整形フィルタへと前記フェムトセル基地局に切り替えさせることが前記プロセッサによって実行可能である、［Ｃ１］に記載のフェムトセル基地局。
［Ｃ３］
前記命令は、第１のモバイル局に対する前記フェムトセル基地局のダウンリンク伝送は隣接するチャネル上で動作する第２のモバイル局に対するマクロセル基地局からのダウンリンク伝送を妨げるということを検出することに応じて、前記送信パルス整形フィルタから前記より狭い送信パルス整形フィルタへと前記フェムトセル基地局に切り替えさせることが前記プロセッサによって実行可能である、［Ｃ１］に記載のフェムトセル基地局。
［Ｃ４］
前記より狭い送信パルス整形フィルタの前記帯域幅は、生じている干渉の量によって決まる、［Ｃ２］に記載のフェムトセル基地局。
［Ｃ５］
前記命令は、前記フェムトセル基地局がいずれのモバイル局に対してサービスを現在提供していないということを決定することに応じて、前記送信パルス整形フィルタから前記より狭い送信パルス整形フィルタへと前記フェムトセル基地局に切り替えさせることが前記プロセッサによって実行可能である、［Ｃ１］に記載のフェムトセル基地局。
［Ｃ６］
前記命令は、データレート条件が満たされているということを決定することに応じて、前記より狭い送信パルス整形フィルタから前記送信パルス整形フィルタへと前記フェムトセル基地局に切り替えさせることが前記プロセッサによって実行可能である、［Ｃ１］に記載のフェムトセル基地局。
［Ｃ７］
前記命令は、前記モバイル局がレガシモバイル局であるということを検出することに応じて、前記送信パルス整形フィルタまたは前記より狭い送信パルス整形フィルタを使用するかどうかを前記フェムトセル基地局に決定させることが前記プロセッサによって実行可能である、［Ｃ１］に記載のフェムトセル基地局。
［Ｃ８］
前記命令は、前記送信パルス整形フィルタまたは前記より狭い送信パルス整形フィルタが前記フェムトセル基地局において使用されているかどうかに基づいて、どの受信パルス整形フィルタを使用するかについて前記モバイル局に対して少なくとも１つのコマンドを前記フェムトセル基地局に提供させることが前記プロセッサによって実行可能である、［Ｃ１］に記載のフェムトセル基地局。
［Ｃ９］
前記モバイル局からアップリンク信号を受信するための受信機と；
前記モバイル局で送信パルス整形フィルタに整合する、受信パルス整形フィルタと；
前記モバイル局でより狭い送信パルス整形フィルタに整合する、より狭い受信パルス整形フィルタと；
をさらに備え、前記命令はまた、前記受信パルス整形フィルタと前記より狭い受信パルス整形フィルタとの間で前記フェムトセル基地局に切り替えさせることが前記プロセッサによって実行可能である、［Ｃ１］に記載のフェムトセル基地局。
［Ｃ１０］
前記命令は、前記モバイル局から受信される少なくとも１つのコマンドに基づいて、前記受信パルス整形フィルタと前記より狭い受信パルス整形フィルタとの間で前記フェムトセル基地局に切り替えさせることが前記プロセッサによって実行可能である、［Ｃ９］に記載のフェムトセル基地局。
［Ｃ１１］
前記命令は、前記モバイル局のアップリンク伝送は隣接するチャネル上で動作している別のモバイル局のアップリンク伝送を妨げるということを検出することに応じて、より狭い送信パルス整形フィルタに切り替わるように前記モバイル局に対して少なくとも１つのコマンドを前記フェムトセル基地局に提供させることが前記プロセッサによって実行可能である、［Ｃ１］に記載のフェムトセル基地局。
［Ｃ１２］
前記命令は、満たされるデータレート条件に応じて、前記より狭い送信パルス整形フィルタから前記送信パルス整形フィルタへと切り替わるように前記モバイル局に対して少なくとも１つのコマンドを前記フェムトセル基地局に提供させることが前記プロセッサによって実行可能である、［Ｃ１］に記載のフェムトセル基地局。
［Ｃ１３］
隣接するチャネル干渉を制限するための方法であって、前記方法はフェムトセル基地局によってインプリメントされており、前記方法は、
モバイル局に対してダウンリンク信号を送信することと、
送信パルス整形フィルタとより狭い送信パルス整形フィルタとの間で切り替わることと、
を備え、前記送信パルス整形フィルタは、前記フェムトセル基地局によって送信される前記ダウンリンク信号の帯域幅を制限し、そして、前記より狭い送信パルス整形フィルタは、前記送信パルス整形フィルタよりも大きい程度で、前記のフェムトセル局によって送信される前記ダウンリンクの信号の前記帯域幅を制限する、方法。
［Ｃ１４］
前記切り替わることは、隣接するチャネルが使用されているということを決定することに応じて、前記送信パルス整形フィルタから前記より狭い送信パルス整形フィルタへと切り替わることを備える、［Ｃ１３］に記載の方法。
［Ｃ１５］
前記切り替わることは、第１のモバイル局に対する前記フェムトセル基地局のダウンリンク伝送は隣接するチャネル上で動作する第２のモバイル局に対するマクロセル基地局からのダウンリンク伝送を妨げるということを検出することに応じて、前記送信パルス整形フィルタから前記より狭い送信パルス整形フィルタへと切り替わることを備える、［Ｃ１３］に記載の方法。
［Ｃ１６］
前記より狭い送信パルス整形フィルタの前記帯域幅は、生じている干渉の量によって決まる、［Ｃ１４］に記載の方法。
［Ｃ１７］
前記切り替わることは、前記フェムトセル基地局はいずれのモバイル局に対してサービスを現在提供していないということを決定することに応じて、前記送信パルス整形フィルタから前記より狭い送信パルス整形フィルタへと切り替わることを備える、［Ｃ１３］に記載の方法。
［Ｃ１８］
前記切り替わることは、データレート条件が満たされているということを決定することに応じて、前記より狭い送信パルス整形フィルタから前記送信パルス整形フィルタへと切り替わることを備える、［Ｃ１３］に記載の方法。
［Ｃ１９］
前記モバイル局がレガシモバイル局であるということを検出することに応じて、前記送信パルス整形フィルタまたは前記より狭い送信パルス整形フィルタを使用するかどうかを決定すること、をさらに備える［Ｃ１３］に記載の方法。
［Ｃ２０］
前記送信パルス整形フィルタまたは前記より狭い送信パルス整形フィルタは前記フェムトセル基地局において使用されているかどうかに基づいて、どの受信パルス整形フィルタを使用するかについて前記モバイル局に対して少なくとも１つのコマンドを提供すること、をさらに備える［Ｃ１３］に記載の方法。
［Ｃ２１］
前記モバイル局からアップリンク信号を受信することと、
受信パルス整形フィルタとより狭い受信パルス整形フィルタとの間で切り替わることと、
をさらに備え、前記受信パルス整形フィルタは、前記モバイル局において送信パルス整形フィルタに整合し、前記より狭い受信パルス整形フィルタは、前記モバイル局においてより狭い送信パルス整形フィルタに整合する、［Ｃ１３］に記載の方法。
［Ｃ２２］
前記切り替わることは、前記モバイル局から受信されるコマンドに基づいて、前記受信パルス整形フィルタと前記より狭い受信パルス整形フィルタとの間で切り替わることを備える、［Ｃ２１］に記載の方法。
［Ｃ２３］
前記モバイル局のアップリンク伝送が隣接するチャネル上の別のモバイル局のアップリンク伝送を妨げるということを検出することに応じて、より狭い送信パルス整形フィルタに切り替わるように前記モバイル局に対して少なくとも１つのコマンドを提供すること、をさらに備える［Ｃ１３］に記載の方法。
［Ｃ２４］
データレート条件が満たされているということに応じて、前記より狭い送信パルス整形フィルタから前記送信パルス整形フィルタへと切り替わるように前記モバイル局に対して少なくとも１つのコマンドを提供すること、をさらに備える［Ｃ１３］に記載の方法。
［Ｃ２５］
隣接するチャネル干渉を制限するために構成されるフェムトセル基地局であって、
モバイル局に対してダウンリンク信号を送信するための手段と、
送信パルス整形フィルタとより狭い送信パルス整形フィルタとの間で切り替わるための手段と、
を備え、前記送信パルス整形フィルタは、前記フェムトセル基地局によって送信される前記ダウンリンク信号の帯域幅を制限し、そして、前記より狭い送信パルス整形フィルタは、前記送信パルス整形フィルタよりも大きい程度で、前記のフェムトセル局によって送信される前記ダウンリンクの信号の前記帯域幅を制限する、フェムトセル基地局。
［Ｃ２６］
前記切り替わるための手段は、隣接するチャネルが使用されているということを決定することに応じて、前記送信パルス整形フィルタから前記より狭い送信パルス整形フィルタへと切り替わるための手段を備える、［Ｃ２５］に記載のフェムトセル基地局。
［Ｃ２７］
前記より狭い送信パルス整形フィルタの前記帯域幅は、生じている干渉の量によって決まる、［Ｃ２６］に記載のフェムトセル基地局。
［Ｃ２８］
前記切り替わるための手段は、前記フェムトセル基地局はいずれのモバイル局に対してサービスを現在提供していないということを決定することに応じて、前記送信パルス整形フィルタから前記より狭い送信パルス整形フィルタへと切り替わるための手段を備える、［Ｃ２５］に記載のフェムトセル基地局。
［Ｃ２９］
前記切り替わるための手段は、データレート条件が満たされているということを決定することに応じて、前記より狭い送信パルス整形フィルタから前記送信パルス整形フィルタへと切り替わるための手段を備える、［Ｃ２５］に記載のフェムトセル基地局。
［Ｃ３０］
前記モバイル局がレガシモバイル局であるということを検出することに応じて、前記送信パルス整形フィルタまたは前記より狭い送信パルス整形フィルタを使用するかどうかを決定するための手段と、をさらに備える［Ｃ２５］に記載のフェムトセル基地局。
［Ｃ３１］
前記送信パルス整形フィルタまたは前記より狭い送信パルス整形フィルタは前記フェムトセル基地局において使用されているかどうかに基づいて、どの受信パルス整形フィルタを使用するかについて前記モバイル局に対して少なくとも１つのコマンドを提供するための手段、をさらに備える［Ｃ２５］に記載のフェムトセル基地局。
［Ｃ３２］
前記モバイル局からアップリンク信号を受信するための手段と、
受信パルス整形フィルタとより狭い受信パルス整形フィルタとの間で切り替わるための手段と、
をさらに備え、前記受信パルス整形フィルタは、前記モバイル局において送信パルス整形フィルタに整合し、前記より狭い受信パルス整形フィルタは、前記モバイル局においてより狭い送信パルス整形フィルタに整合する、［Ｃ２５］に記載のフェムトセル基地局。
［Ｃ３３］
前記切り替わるための手段は、前記モバイル局から受信される少なくとも１つのコマンドに基づいて、前記受信パルス整形フィルタと前記より狭い受信パルス整形フィルタとの間で切り替わるための手段を備える、［Ｃ３２］に記載のフェムトセル基地局。
［Ｃ３４］
隣接するチャネル干渉を制限するように構成されるフェムトセル基地局のためのコンピュータプログラムプロダクトであって、前記コンピュータプログラムプロダクトは、命令を有しているコンピュータ可読媒体を備えており、前記命令は、
モバイル局に対してダウンリンク信号を送信するためのコードと、
送信パルス整形フィルタとより狭い送信パルス整形フィルタとの間で切り替わるためのコードと、
を備え、前記送信パルス整形フィルタは、前記のフェムトセル局によって送信される前記ダウンリンク信号の帯域幅を制限し、そして、前記より狭い送信パルス整形フィルタは、前記送信パルス整形フィルタよりも大きい程度で、前記フェムトセル基地局によって送信される前記ダウンリンクの信号の前記帯域幅を制限する、コンピュータプログラムプロダクト。
［Ｃ３５］
前記切り替わるためのコードは、
隣接するチャネルが使用されているということを決定することに応じて、前記送信パルス整形フィルタから前記より狭い送信パルス整形フィルタへと切り替わるためのコードと、
前記フェムトセル基地局はいずれのモバイル局に対してサービスを現在提供していないということを決定することに応じて、前記送信パルス整形フィルタから前記より狭い送信パルス整形フィルタへと切り替わるためのコードと、
データレート条件が満たされているということを決定することに応じて、前記より狭い送信パルス整形フィルタから前記送信パルス整形フィルタへと切り替わるためのコードと、
第１のモバイルに対するフェムトセルのダウンリンク伝送が隣接するチャネル上で動作する第２のモバイルに対するマクロセルからのダウンリンク伝送を妨げるということを決定することに応じて、前記送信パルス整形フィルタから前記より狭い送信パルス整形フィルタへと切り替わるためのコードと、
前記モバイル局がレガシモバイル局であるということを検出することに応じて、前記送信パルス整形フィルタまたは前記より狭い送信パルス整形フィルタを使用するかどうかを決定するためのコードと、
のうちの少なくとも１つを備える、［Ｃ３４］に記載のコンピュータプログラムプロダクト。
［Ｃ３６］
前記モバイル局からアップリンク信号を受信するためのコードと、
受信パルス整形フィルタとより狭い受信パルス整形フィルタとの間で切り替わるためのコードと、
をさらに備え、前記受信パルス整形フィルタは、前記モバイル局において前記送信パルス整形フィルタに整合し、前記より狭い受信パルス整形フィルタは、前記モバイル局において前記より狭い送信パルス整形フィルタに整合する、［Ｃ３４］に記載のコンピュータプログラムプロダクト。
［Ｃ３７］
隣接するチャネル干渉を制限するために構成されるモバイル局であって、
フェムトセル基地局に対してアップリンク信号を送信するように構成される送信機と；
送信パルス整形フィルタと；
より狭い送信パルス整形フィルタと、なお、前記より狭い送信パルス整形フィルタは、前記送信パルス整形フィルタよりも大きい程度で、前記モバイル局によって送信されるアップリンク信号の帯域幅を制限する；
プロセッサと；
前記プロセッサと電子通信しているメモリと；
前記メモリにおいて保存される命令と、なお、前記命令は、前記フェムトセル基地局から受信されるコマンドに基づいて、前記送信パルス整形フィルタと前記より狭い送信パルス整形フィルタとの間で前記モバイル局に切り替えさせることが前記プロセッサによって実行可能である；
を備えるモバイル局。
［Ｃ３８］
隣接するチャネル干渉を制限するために構成されるモバイル局であって、
フェムトセル基地局に対してアップリンク信号を送信するように構成される送信機と；
送信パルス整形フィルタと；
より狭い送信パルス整形フィルタと、なお、前記より狭い送信パルス整形フィルタは、前記送信パルス整形フィルタよりも大きい程度で、前記モバイル局によって送信されるアップリンク信号の帯域幅を制限する；
プロセッサと；
前記プロセッサと電子通信しているメモリと；
前記メモリにおいて保存される命令と、なお、前記命令は、データレート条件が満たされているということを決定することに応じて、前記より狭い送信パルス整形フィルタから前記送信パルス整形フィルタへと前記モバイル局に切り替えさせることが前記プロセッサによって実行可能である；
備えるモバイル局。
［Ｃ３９］
前記命令はまた、前記データレート条件が満たされているということを決定することに応じて、前記より狭い送信パルス整形フィルタから前記送信パルス整形フィルタへと切り替わるように前記フェムトセル基地局から許可を前記モバイル局にリクエストさせることが前記プロセッサによって実行可能である、［Ｃ３８］に記載のモバイル局。
【図１】
0005254447.tif 000002
【図２】
0005254447.tif 000003
【図３】
0005254447.tif 000004
【図４】
0005254447.tif 000005
【図５】
0005254447.tif 000006
【図６】
0005254447.tif 000007
【図７】
0005254447.tif 000008
【図７Ａ】
0005254447.tif 000009
【図８】
0005254447.tif 000010
【図９】
0005254447.tif 000011
【図９Ａ】
0005254447.tif 000012
【図１０】
0005254447.tif 000013
【図１０Ａ】
0005254447.tif 000014
【図１１】
0005254447.tif 000015
【図１１Ａ】
0005254447.tif 000016
【図１２】
0005254447.tif 000017
【図１２Ａ】
0005254447.tif 000018
【図１３】
0005254447.tif 000019
【図１４】
0005254447.tif 000020